(57)【特許請求の範囲】
【請求項１】
エレベータの昇降路の内部に設置される保全設備機器の点検に際して活用される作業床を有するエレベータの点検用作業床装置において、
上記保全設備機器の下方に位置する上記昇降路の壁面に取り付けられるベース部と、
上記ベース部の下部位置に形成され、上記昇降路の壁面から離れる側が開放された第１切り欠き部と、
上記ベース部の上部位置に形成され、上記昇降路の壁面から離れる側が開放された第２切り欠き部と、
上記第１切り欠き部及び上記第２切り欠き部の一方に選択的に係合し、上記作業床を上記昇降路内に展開させた際に上記昇降路の壁面に近づく側を形成する当該作業床の一端側に連結される第１支持体と、
一端が、上記ベース部の上記第１切り欠き部と上記第２切り欠き部の中間に位置する部分に上下方向の回動が可能に連結され、他端が、上記作業床を上記昇降路内に展開させた際に上記昇降路の壁面から離れる側を形成する当該作業床の他端側に連結され、上記第１支持体と協働して上記作業床を水平状態に保持可能な第２支持体とを備え、
上記昇降路内における収納時に、上記保全設備機器の略投影面積内に含まれるように、上記ベース部、上記第１支持体、上記第２支持体、及び上記作業床のそれぞれの形状寸法を設定したことを特徴とするエレベータの点検用作業床装置。
【請求項２】
請求項１に記載のエレベータの点検用作業床装置において、
上記第１支持体は直線形状の棒体から成り、
上記第２支持体は枠形状を形成する棒体から成り、
上記作業床は、上記他端側の下部に、上記第２支持体が回動可能に連結する支持部を有することを特徴とするエレベータの点検用作業床装置。
【請求項３】
請求項１または２に記載のエレベータの点検用作業床装置において、
上記作業床に着脱可能な手摺りを設けたことを特徴とするエレベータの点検用作業床装置。
【発明の詳細な説明】
【技術分野】
【０００１】
本発明は、エレベータの昇降路内に配置される保全設備機器の点検に際して活用される作業床を有するエレベータの点検用作業床装置に関する。
【背景技術】
【０００２】
エレベータの昇降路内に配置され、ピット床から手の届かない位置に設けられる保全設備機器を点検する際には、点検作業者の足場確保のために活用される作業床が必要となる。昨今、エレベータの大容量化、高速化に伴い、巻上機等の昇降路内機器の形状が大きくなりがちであり、また、昇降路の省スペース化が要望されてきている。これに応じて、複数の昇降路内に配置される保全設備機器のそれぞれを、高さ方向に沿って配置するようになってきている。このようなことから、昇降路内に設置される作業床の高さ位置を変更して、点検作業を行うことも必要になる。
【０００３】
ところで、上述したような作業床の高さ位置を変更できる装置が、特許文献１に開示されている。この特許文献１に開示された従来技術は、ピット床上に延設される昇降はしご固定腕と、この昇降はしご固定腕の一端から立設され、昇降路の高さ方向に延設させた昇降はしご固定支柱と、下端が昇降はしご固定腕の他端に接続され、上端が昇降はしご固定支柱に接続される昇降はしごと、この昇降はしごに着脱可能に、しかも高さ位置を変えて取り付けることが可能な作業床を備えた構成になっている。
【先行技術文献】
【特許文献】
【０００４】
【特許文献１】特開２００４−１８２３５１号公報
【発明の概要】
【発明が解決しようとする課題】
【０００５】
上述した従来技術は、乗かごの下降時に乗かごと干渉する大きな形状となることから、昇降路内に配置される保全設備機器の点検作業が終了した際などにあっては、解体し、昇降路内から撤去する煩雑な作業が必要になる。これに伴って、点検作業工数が増加し、点検作業に要する費用が高くなる問題がある。
【０００６】
本発明は、上述した従来技術における実状からなされたもので、その目的は、作業床の高さ位置を変更可能であるとともに、昇降路を下降する乗かごとの干渉を生じることなく昇降路内に収納させることができるエレベータの点検用作業床装置を提供することにある。
【課題を解決するための手段】
【０００７】
上記目的を達成するために、本発明に係るエレベータの点検用作業床装置は、エレベータの昇降路の内部に設置される保全設備機器の点検に際して活用される作業床を有するエレベータの点検用作業床装置において、上記保全設備機器の下方に位置する上記昇降路の壁面に取り付けられるベース部と、上記ベース部の下部位置に形成され、上記昇降路の壁面から離れる側が開放された第１切り欠き部と、上記ベース部の上部位置に形成され、上記昇降路の壁面から離れる側が開放された第２切り欠き部と、上記第１切り欠き部及び上記第２切り欠き部の一方に選択的に係合し、上記作業床を上記昇降路内に展開させた際に上記昇降路の壁面に近づく側を形成する当該作業床の一端側に連結される第１支持体と、一端が、上記ベース部の上記第１切り欠き部と上記第２切り欠き部の中間に位置する部分に上下方向の回動が可能に連結され、他端が、上記作業床を上記昇降路内に展開させた際に上記昇降路の壁面から離れる側を形成する当該作業床の他端側に連結され、上記第１支持体と協働して上記作業床を水平状態に保持可能な第２支持体とを備え、上記昇降路内における収納時に、上記保全設備機器の略投影面積内に含まれるように、上記ベース部、上記第１支持体、上記第２支持体、及び上記作業床のそれぞれの形状寸法を設定したことを特徴としている。
【０００８】
このように構成した本発明は、エレベータの昇降路内に配置される保全設備機器の点検作業時には、例えば作業床の一端側に連結される第１支持体をベース部の下部位置に形成された第１切り欠き部に係合させるようにする。この間、第２支持体は昇降路の壁面に沿って配置されている状態からベース部との連結部を中心にわずかに上方に回動する。これにより作業床は、第１支持体と第２支持体によって低位置において水平状態に保持される。この状態で点検作業者が作業床に乗り込むことにより、昇降路内に配置された保全設備機器の手の届く範囲の低所部の点検作業を行うことができる。
【０００９】
このような状態から、それまで手の届かなかった保全設備機器の高所部の点検作業を行うときには、点検作業者は一旦作業床から降り、第１支持体を第１切り欠き部から外して、第２切り欠き部に係合させるようにする。この間、第２支持体は上述の状態からさらにベース部との連結部を中心に上方に回動する。これにより作業床は、第１支持体と第２支持体によって上述の低位置よりも上方の高位置において、水平状態に保持される。この状態で点検作業者が作業床に乗り込むことにより、昇降路内に配置された保全設備機器の高所部の点検作業を行うことができる。
【００１０】
なお、上述のように低位置において水平状態に保たれている作業床に対する点検作業者の乗り降り、及び高位置において水平状態に保たれている作業床に対する点検作業者の乗り降りは、例えば昇降路のピット床の床面に沿うように載置可能な折りたたみ式の脚立等を利用して行うことができる。
【００１１】
また例えば、上述した保全設備機器の点検作業が終了した際などには、本発明は、第１支持体が第２切り欠き部にある場合には、第２切り欠き部から外して第１切り欠き部に戻して第１切り欠き部内で第１支持体を上方に移動させて、第１支持体が第１切り欠き部にある場合には、第１支持体をそのまま第１切り欠き部内で上方に移動させて、第２支持体を下方に回動させるか、第１支持体をそれまで係合していた第１切り欠き部、あるいは第２切り欠き部から外し、第２支持体を下方向に回動させればよい。これにより、第２支持体が昇降路の壁面に沿うようにベース部から吊り下げられるとともに、第１支持体及び作業床が、昇降路の壁面に沿うように第２支持体から吊り下げられる。したがって、ベース部、第１支持体、第２支持体、及び作業床のそれぞれが、昇降路内に配置された保全設備機器の下方に配置され、この保全設備機器の略投影面積内に収納される。
【００１２】
すなわち本発明は、第１支持体の第１切り欠き部、または第２切り欠き部との係合動作と、第２支持体の回動動作とによって、作業床の高さ位置を変更可能であるとともに、収納時には、ベース部、第１支持体、第２支持体、及び作業床を保全設備機器の略投影面積内に配置でき、乗かごの下降時にこの乗かごと干渉を生じることなく昇降路内に収納させることができる。したがって、昇降路内から本発明に係る点検用作業床装置を撤去する煩雑な作業が不要となる。
【００１３】
また本発明は、上記発明において、上記第１支持体は直線形状の棒体から成り、上記第２支持体は枠形状を形成する棒体から成り、上記作業床は、上記他端側の下部に、上記第２支持体が回動可能に連結する支持部を有することを特徴としている。
【００１４】
また本発明は、上記発明において、上記作業床に着脱可能な手摺りを設けたことを特徴としている。
【発明の効果】
【００１５】
本発明は、昇降路の内部に設置される保全設備機器の下方に位置する昇降路の壁面に取り付けられるベース部と、このベース部の下部位置に形成され、昇降路の壁面から離れる側が開放された第１切り欠き部と、ベース部の上部位置に形成され、昇降路の壁面から離れる側が開放された第２切り欠き部と、第１切り欠き部及び第２切り欠き部の一方に選択的に係合し、作業床を昇降路内に展開させた際に昇降路の壁面に近づく側を形成する当該作業床の一端側に連結される第１支持体と、一端が、ベース部の第１切り欠き部と第２切り欠き部の中間に位置する部分に上下方向の回動が可能に連結され、他端が、作業床を昇降路内に展開させた際に昇降路の壁面から離れる側を形成する当該作業床の他端側に連結され、第１支持体と協働して作業床を水平状態に保持可能な第２支持体とを備えた構成にしてある。また本発明は、昇降路内における収納時に、保全設備機器の略投影面積内に含まれるように、ベース部、第１支持体、第２支持体、及び作業床のそれぞれの形状寸法を設定した構成にしてある。このような構成に伴って本発明は、作業床の高さ位置を変更可能であるとともに、昇降路内を下降する乗かごとの干渉を生じることなく昇降路内に収納させることができる。これにより本発明は、従来技術におけるような昇降路内から撤去する煩雑な作業が不要となり、従来に比べて点検作業工数を少なくし、点検作業に要する費用を低減させることができる。
【図面の簡単な説明】
【００１６】
【図１】本発明のエレベータの点検用作業床装置の一実施形態を示す図で、保全設備機器の低所部の点検作業状態を示す斜視図である。
【図２】本実施形態を示す図で、保全設備機器の高所部の点検作業状態を示す斜視図である。
【図３】本実施形態の収納状態を示す側面図である。
【図４】図３に示す本実施形態の収納状態にあって、乗かごが下降した状態を示す側面図である。
【発明を実施するための形態】
【００１７】
以下、本発明に係るエレベータの点検用作業床装置の実施の形態を図に基づいて説明する。
【００１８】
図１，２に示すように、本実施形態が設けられるエレベータは、昇降路の壁面に制御盤等の保全設備機器２が取り付けられている。この保全設備機器２は、昇降路１の省スペース化等に伴って高さ方向に長い形状寸法に設定されている。
【００１９】
本実施形態に係る点検用作業床装置４は、保全設備機器２の下方に位置する昇降路１の壁面に取り付けられ、一対のＬ形鋼から成るベース部３と、このベース部３の下部位置に形成され、昇降路１の壁面から離れる側が開放された第１切り欠き部５１と、ベース部３の上部位置に形成され、昇降路１の壁面から離れる側が開放された別の第２切欠き部５２とを備えている。
【００２０】
また本実施形態は、第１切り欠き部５１及び第２切り欠き部５２の一方に選択的に係合し、同図１，２に示すように作業床４１を昇降路１内に展開させた際に、昇降路１の壁面に近づく側を形成する作業床４１の一端側に連結され、例えば直線形状の棒体から成る第１支持体５を備えている。
【００２１】
また本実施形態は、一端が、ベース部３の第１切り欠き部５１と第２切り欠き部５２の中間に位置する部分、例えば第１切り欠き部５１と第２切り欠き部５２に対して等距離に位置する部分に、上下方向の回動が可能に連結され、他端が、作業床４１を昇降路１内に展開させた際に、昇降路１の壁面から離れる側を形成する当該作業床４１の他端側に連結され、第１支持体５と協働して作業床４１を水平状態に保持する例えば枠形状を形成する棒体から成る第２支持体６を備えている。作業床４１は、他端側の例えば下部に、第２支持体６が回動可能に連結する支持部４１１を備えている。また本実施形態は、作業床４１に対して着脱可能な手摺り７を備えている。
【００２２】
また本実施形態は、図３，４に示すように、昇降路１内における収納時に、保全設備機器２の略投影面積内に含まれるように、ベース部３、第１支持体５、第２支持体６、及び作業床４１のそれぞれの形状寸法を設定してある。なお、保全設備機器２の略投影面積内とは、保全設備機器２の上方から見たときに、収納した点検用作業床装置４が保全設備機器２の下方に完全に隠れてしまうか、収納した点検用作業床装置４の大部分が保全設備機器２の下方に隠れて、保全設備機器２の周囲から点検用作業床装置４の一部が見えるような状態であって、保全設備機器２の周囲から見える点検用作業床装置４は乗かご１０が昇降しても干渉しない配置状態にあることを言うものとする。
【００２３】
このように構成した本実施形態は、保全設備機器２の点検作業時には、例えば図３，４に示すように昇降路１内に収納されている状態から、作業床４１の一端側に連結される第１支持体５をベース部３の下部位置に形成された第１切り欠き部５１に係合させるようにする。この間、第２支持体６は、同図３，４に示されている状態から、ベース部３との連結部を中心にわずかに上方に回動する。これにより作業床４１は、図１に示すように、第１支持体５と第２支持体６によって低位置において水平状態に保持される。この状態で点検作業者８が作業床４１に乗り込み、例えば手摺り７を作業床４１に装着する。このように準備した状態において、昇降路１内に配置された保全設備機器２の手の届く範囲の低所部２１の点検作業を行うことができる。
【００２４】
このような状態から、それまで手の届かなかった保全設備機器２の高所部２２の点検作業を行うには、点検作業者８は手摺り７を外して一旦作業床４１から降り、第１支持体５を第１切り欠き部５１から外して、第２切り欠き部５２に係合するようにする。この間、第２支持体６は上述した状態からさらにベース部３との連結部を中心に上方に回動する。これにより作業床４１は、図２に示すように、第１支持体５と第２支持体６によって上述した低位置よりも上方の高位置において、水平状態に保持される。この状態で点検作業者８が作業床４１に乗り込み、手摺り７を作業床４１に装着する。このように準備した状態において、昇降路１内に配置された保全設備機器２の高所部２２の点検作業を行うことができる。
【００２５】
なお、図１に示すように低位置において水平状態に保たれている作業床４１に対する点検作業者８の乗り降り、及び図２に示すように高位置において水平状態に保たれている作業床４１に対する点検作業者８の乗り降りは、例えば昇降路１のピット床９の床面に沿うように載置可能な折りたたみ式の脚立等を利用して行うことができる。
【００２６】
また例えば、上述した図１，２に示す状態から保全設備機器２の点検作業が終了した際などには、第１支持体５が第２切り欠き部５２にある場合には、第２切り欠き部５２から外して第１切り欠き部５１に戻して第１切り欠き部５１内で第１支持体５を上方に移動させて、第１支持体５が第１切り欠き部５１にある場合には、第１支持体５をそのまま第１切り欠き部５１内で上方に移動させて、第２支持体６を下方に回動させればよい。これにより、図３，４に示すように、第２支持体６が昇降路１の壁面に沿うようにベース部３から吊り下げられるとともに、第１支持体５及び作業床４１が、昇降路１の壁面に沿うように第２支持体６から吊り下げられる。したがって、ベース部３、第１支持体５、第２支持体６、及び作業床４１のそれぞれが、昇降路１内に配置された保全設備機器２の下方に配置され、この保全設備機器２の略投影面積内に収納される。なお、第１支持体５をそれまで係合していた第１切り欠き部５１、あるいは第２切り欠き部５２から外し、第２支持体６を下方に回動させる形態であってもよい。また点検作業に際し活用された手摺り７、及び脚立等は、昇降路１のピット床９の床面に沿うように寝かせて載置させる。したがって、昇降路１内を下降する乗かご１０が最下降位置に至っても、手摺り７、脚立等が乗かご１０に接触することはない。
【００２７】
すなわち本実施形態は、第１支持体５の第１切り欠き部５１、または第２切り欠き部５２との係合動作と、第２支持体６の回動動作とによって、作業床４１の高さ位置を変更可能であるとともに、収納時には、ベース部３、第１支持体５、第２支持体６、及び作業床４１を保全設備機器２の略投影面積内に配置でき、図４に示すように、昇降路１内を下降した乗かご１０と干渉を生じることなく、昇降路１内に収納させることができる。
【００２８】
したがって本実施形態によれば、昇降路１内から本実施形態に係る点検用作業床装置４を撤去する煩雑な作業が不要となり、これによって点検作業工数を少なくし、点検作業に要する費用を低減させることができる。
【符号の説明】
【００２９】
１    昇降路
２    保全設備機器
２１  低所部
２２  高所部
３    ベース部
４    点検用作業床装置
４１  作業床
４１１  支持部
５    第１支持体
５１  第１切り欠き部
５２  第２切り欠き部
６    第２支持体
７    手摺り
８    点検作業者
９    ピット床
【図１】
0005706262.tif 000002
【図２】
0005706262.tif 000003
【図３】
0005706262.tif 000004
【図４】
0005706262.tif 000005